(57)【要約】  バルブ組立体１４は、雄ルーアー端部３８と、雌ルーアー端部３６と、雄ルーアー端部と雌ルーアー端部との間を延伸して、液体を移送するための通路と、通路が閉じた第１の位置と通路が開いた第２の位置との間を移動可能とされるバルブ手段と、バルブ手段を第１の位置に向かって付勢するための付勢手段６４と、医療用付属品の雌ルーアー端部が雄ルーアー端部と係合されている場合には、雄ルーアー端部の内部に向かって延伸し、バルブ手段に結合し作動させる作動手段４６と、を備えている。
2007516785.tif 000002
【特許請求の範囲】
【請求項１】
雄ルーアー端部と、
雌ルーアー端部と、
前記雄ルーアー端部と前記雌ルーアー端部との間における流体移送のためのチャネルと、
閉位置と開位置との間を移動可能とされるバルブ手段と、
前記閉位置に向かって前記バルブ手段を付勢するための付勢手段と、
前記雄ルーアー端部内に延伸し、医療用付属品の雌ルーアー端部が前記雄ルーアー端部と結合されている場合には、前記バルブ手段に結合され前記バルブ手段を作動させる作動手段と、
を備えてなるバルブ組立体。
【請求項２】
前記雄ルーアー端部が、内突起部及びネジ加工された外側シース部を有し、
該外側シース部は前記突起部から離隔され、
前記作動手段が、前記ネジ加工された外側シース部と前記突起部との間に位置決めされた作動部材を含んでなることを特徴とする請求項１に記載のバルブ組立体。
【請求項３】
前記バルブ手段が、
バルブシートと、
該バルブシートと関連して移動可能とされるバルブ部材と、
を含んでいる請求項２に記載のバルブ組立体。
【請求項４】
前記雌ルーアー端部に隣接する第１のチャネル部、第２のチャネル部を含む前記内突起部、及び前記第１のチャネル部及び前記第２のチャネル部と流通しているバルブチャネル部を有するバルブ部材をさらに含んでいることを特徴とする請求項３に記載のバルブ組立体。
【請求項５】
前記バルブシートが、前記第２のチャネル部内に形成されていることを特徴とする請求項４に記載のバルブ組立体。
【請求項６】
前記バルブ部材は、前記雌ルーアー端部と共に一体的に形成されていることを特徴とする請求項３〜５のいずれか一項に記載のバルブ組立体。
【請求項７】
前記ハウジング部をさらに備えており、
前記バルブ部材が、ハウジング部の内面に向かって外方に延伸しているアンカーフランジを含んでなることを特徴とする請求項３〜６のいずれか一項に記載のバルブ組立体。
【請求項８】
前記ハウジング部が、前記雄ルーアー端部に結合され、前記雄ルーアー端部と共に前記バルブ部材と関連して移動することを特徴とする請求項７に記載のバルブ組立体。
【請求項９】
前記バルブ手段が前記閉位置にある場合には、前記雄ルーアー端部が前記アンカーフランジに係合されており、
前記バルブ手段が前記開位置にある場合には、前記雄ルーアー端部が前記アンカーフランジから離隔されていることを特徴とする請求項７又は８に記載のバルブ組立体。
【請求項１０】
前記ハウジング部が、前記雌ルーアー端部に隣接する端部領域で終わり、
前記付勢手段が、前記端部領域と前記外側のアンカーフランジとの間の前記ハウジング部内に設けられている圧縮バネを含んでいることを特徴とする請求項７〜９のいずれか一項に記載のバルブ組立体。
【請求項１１】
内部に液体材料を含むチャンバーを有している本体と、
前記チャンバーと流通しているバルブ組立体とを備えた医療用分配装置であって、
前記バルブ組立体は、医療用付属品上で雌結合部材を係合し、前記医療用分配装置と前記医療用付属品との間に流体継手部を形成するための雄結合部材と、前記雄結合部材を通過している流体の流れを制御操作可能としている流れ制御手段とを備えており、
該流れ制御手段は、前記雌結合部材が操作可能なように前記雄結合部材と結合されている場合には、前記雌結合部材により変位され、前記雄結合部材を開くように操作可能とされ、且つ、前記雌結合部材が前記雄結合部材から接続解除された場合には、前記雌結合部材により変位され、前記雄結合部材を閉じるように操作可能とされていることを特徴とする医療用分配装置。
【請求項１２】
前記雄結合部材が、内側雄部と該内側雄部から離隔された外側シース部とを備え、前記内側雄部と前記外側シース部との間には前記雌結合部材を受容するための通路が形成されており、
前記流れ制御手段は、前記通路内に位置決めされ、前記雌結合部材が前記通路に沿って移動している際に、前記雌結合部材に接触し、前記バルブ部材を変位させる少なくとも１つのバルブ作動部を備えていることを特徴とする請求項１１に記載の装置。
【請求項１３】
前記バルブ組立体が、バルブ部材及びバルブシートを含み、
前記バルブ部材が、前記雄結合部材を閉じるように、前記シートに対向して位置決めされていることを特徴とする請求項１１又は１２に記載の装置。
【請求項１４】
前記バルブ作動部が、前記通路に沿って互いに離隔された一組の接触要素を備え、前記雌結合部材は前記一組の接触要素の間に受容されており、前記一組の接触要素は、前記通路に沿って前記雌結合部材と共に移動操作可能とされていることを特徴とする請求項１２又は１３に記載の装置。
【請求項１５】
前記バルブ作動部が、ロックフランジを含み、
前記バルブ組立体が、前記雄結合部材が前記閉位置にある場合には、前記ロックフランジを受容するロックシートを含んでいることを特徴とする請求項１２〜１４のいずれか一項に記載の装置。
【請求項１６】
前記バルブ作動部が、遠位端領域を有し、
前記ロックフランジが、前記遠位端領域に隣接して設けられていることを特徴とする請求項１５に記載の装置。
【請求項１７】
前記ロックシートが、前記外側シース部内に形成されていることを特徴とする請求項１５又は１６のいずれか一項に記載の装置。
【請求項１８】
前記バルブ作動部が、前記ロックフランジを前記ロックシートから変位させるために、屈曲させるように配列されていることを特徴とする請求項１５〜１７のいずれか一項に記載の装置。
【請求項１９】
前記ロックフランジが、前記接触要素のうちの1つの接触要素と隣接していることを特徴とする請求項１５〜１８のいずれか一項に記載の装置。
【請求項２０】
前記バルブ作動部が、前記通路に対して長手方向に向いており、
前記接触要素が、前記作動部に沿って位置決めされていることを特徴とする請求項１４〜１９のいずれか一項に記載の装置。
【請求項２１】
前記バルブ部材が、バックプレート及び該バックプレート上に等間隔に配置された複数の作動部を備えており、
前記複数の作動部の各々が、第１の接触要素及び第２の接触要素を有していることを特徴とする請求項１３〜２０のいずれか一項に記載の装置。
【請求項２２】
医療用分配装置であって、
内部に液体材料を含むチャンバーを有している本体と、
前記チャンバーと流通し、医療用付属品上で雌結合部材に係合して、前記医療用分配装置と前記医療用付属品との間に流体継手部を形成している雄結合部材を備えたバルブ組立体とを備え、
前記雄結合部材は、突起部と、該突起部と相対的に移動可能とされた外側バルブ要素とを備え、
前記突起部と前記外側バルブ部材との間には流体チャネルが形成された医療用分配装置において、
前記突起部を囲み、該突起部から離隔され、前記雌結合部材を受容するための通路を形成しているシース部をさらに備え、
前記バルブ部材が、前記雌結合部材が前記雄結合部材と結合されている場合には、前記雌結合部材と係合可能とされ、前記突起部と相対的に移動可能とされて、前記流体チャネルを開くように構成されていることを特徴とする医療用分配装置。
【請求項２３】
前記バルブ部材が前記雄結合部材の外面を形成していることを特徴とする請求項２２に記載の装置。
【請求項２４】
前記流体チャネル近傍の前記突起部との係合位置に向かって前記バルブ部材を付勢する付勢手段をさらに備えていることを特徴とする請求項２２又は２３に記載の装置。
【請求項２５】
前記通路が、内壁で終わり、
前記付勢手段が、前記内壁と前記バルブ部材との間に設けられているバネを含んでいることを特徴とする請求項２４に記載の装置。
【請求項２６】
前記突起部が、前記本体に固定されていることを特徴とする請求項２２〜２５のいずれか一項に記載の装置。
【請求項２７】
前記突起部が、内部通路を含み、
該内部通路が、前記チャンバーに開口している一端と、前記流体チャネルに開口している他端と、を有していることを特徴とする請求項２２〜２６のいずれか一項に記載の装置。
【請求項２８】
前記突起部が、拡開端部を含み、
前記バルブ部材が、前記流体チャネルを閉じるために前記拡開端部に係合するように配置されている外側部分を含んでいることを特徴とする請求項２２〜２７のいずれか一項に記載の装置。
【請求項２９】
前記バルブ部材上の前記拡開端部及び外端部が、結合傾斜面を有していることを特徴とする請求項２８に記載の装置。
【請求項３０】
導入部を有する雌結合部材を追加的に含んでおり、前記バルブ部材が、前記導入部内に嵌合される寸法とされていることを特徴とする請求項２２〜２９のいずれか一項に記載の装置。
【発明の詳細な説明】
【技術分野】
【０００１】
本願発明は、医療用液体送出バルブに関する。より詳しくは、注射器又は他の医療用分配装置と共に使用するためのバルブ組立体に関する。
【背景技術】
【０００２】
一般的に、注射器は、患者に薬剤及び他の生体液（biological fluid）を送り出すために利用される。一般的には、注射器はプランジャーを有している。該プランジャーは、密閉された状態で外部の円筒形チャンバーと係合され、内部液体受容チャンバーを形成する。たいていの場合、“雄”ルーアー嵌合部がチャンバーの送出端に備えられている。該送出端は、針組立体又はそれに類するものと嵌合する雌ルーアー嵌合部を受容する。流体チャネルは、空洞部とルーアー嵌合部とを接続するが、たいていの場合、開いている。従って、針が取り外された場合には、空洞部は外界に開口している。このことは、多くの薬剤及び生体液が外界の影響を受けやすい（又は、外界に曝された場合に品質が低下する）ので、問題である。
【発明の開示】
【発明が解決しようとする課題】
【０００３】
従って、本願発明の目的は、注射器又は他の医療用分配装置と共に利用するための新しい価値を有する組立体を提供することにある。該組立体により、独立した状態にある場合には、前記他の医療用分配装置が外界に対して閉じられる。
【課題を解決するための手段】
【０００４】
一態様においては、本願発明は、バルブ組立体を提供する。雄ルーアー端部と、雌ルーアー端部と、雄ルーアー端部と雌ルーアー端部との間で液体を移送するためのチャネルと、閉位置と開位置との間を移動可能とされるバルブ手段と、バルブ手段を閉位置に向かって付勢するための付勢手段と、雄ルーアー端部内に延伸し、医療用付属品の雌ルーアー端部が雄ルーアー端部と結合される場合には、バルブ手段に結合され作動される作動手段と、を備えてなる。
【０００５】
本願発明の一実施例においては、雄ルーアー端部は、内突起部及びネジ部を有する外側シース部を有している。該シース部は、前記突起部から離隔され、雌ルーアー端部を前記突起部と前記シース部との間に受容する。作動手段は、作動部材を含み、ネジ部を有する外側シース部と内突起部との間に設けられている。
【０００６】
本願発明の一実施例においては、バルブ手段は、バルブシート及びバルブ部材を含んでいる。ここで、該バルブ部材は、バルブシートと関連して移動可能とされる。チャネルは、雌ルーアー端部に隣接する第１のチャネル部を含んでいる。そして、内部の突起部は、第２のチャネル部を含んでいる。バルブ部材は、第１のチャネル部及び第２のチャネル部と流通しているバルブチャネル部を有している。バルブシートは第２のチャネル部内に形成され、バルブ部材は雌ルーアー端部と共に一体的に形成される。
【０００７】
本願発明の一実施例においては、バルブ部材は、ハウジング部の内面に向かって外方に延伸しているアンカーフランジを含んでいる。この場合においては、ハウジング部は、バルブ部材と関連して雌ルーアー端部と共に移動するために、雌ルーアー端部に結合されている。雄ルーアー端部は、バルブ手段が閉位置にある場合には、アンカーフランジと係合する。そして、雄ルーアー端部は、バルブ手段が開位置にある場合には、前記アンカーフランジから離隔されている。ハウジング部は、雌ルーアー端部に隣接する端部領域で終わり、付勢手段は、端部領域と外部アンカーフランジとの間のハウジング部内に設けられた圧縮バネを含んでなる。
【０００８】
本願発明の他の態様においては、本願発明は、本体及びバルブ組立体を備えている医療用分配装置を提供する。ここで、前記本体は、その内部にチャンバーを有し、液体材料を含んでなる。そして、前記バルブ組立体は、チャンバーと流通しており、医療用付属品上で雌結合部材と係合し、医療用分配装置と医療用付属品との間に流体継手部を形成するための雄結合部材を有している。さらには、前記バルブ組立体は、雄結合部材を通じて流れ制御操作が可能とされて、さらに、雌結合部材が雄結合部材と操作可能なように接続されている場合には、雌結合部材により変位され、雄結合部材を開く操作が可能とされ、且つ、雌結合部材が雄結合部材から取り外された場合には、雄結合部材に近接した雌結合部材による変位操作が可能とされる流れ制御手段をさらに備えている。
【０００９】
一実施例においては、雄結合部材は内側雄部及び外側シース部を含んでいる。そして、外側シース部は、内側雄部から離隔され、内側雄部と外側シース部との間に通路を形成し、雌結合部材を受容している。流れ制御手段は、通路内に設けられた少なくとも１つのバルブ作動部を含み、雌結合部材と接触し、雌結合部材が通路に沿って移動している間、バルブ部材を変位させる。バルブ組立体は、バルブ部材及びバルブシートを含み、雄結合部材を閉じるために、バルブシートと反対の位置に設けられている。バルブ作動部は、一組の接触要素を含んでいる。該一組の接触要素は、通路に沿って互いに離隔され、雌結合部材を接触要素間に受容する。前記一組の接触要素は、通路に沿って雌結合部材と共に移動操作可能とされている。
【００１０】
一実施例においては、作動部は、通路と関連して長手方向に向いている。そして、接触要素は、作動部に沿って位置決めされている。バルブ部材は、バックプレート及び複数の作動部を含んでいる。そして、複数の作動部は、バックプレート上で等間隔に離隔され、作動部の各々は、第１の接触要素及び第２の接触要素を有している。
【００１１】
一実施例においては、バルブ作動部はロックフランジを含んでいる。該ロックフランジは、接触要素のうちの隣接する１つの接触要素である。バルブ組立体は、ロックシートを含んでいる。該ロックシートは、雄結合部材が閉位置にある場合には、ロックフランジを受容する。作動部は遠位端領域を有し、ロックフランジは遠位端領域に隣接して設けられ、ロックシートは外側シース部内に形成されている。従って、作動部は、ロックフランジをロックシートから移動させるために、屈曲させるように配置されている。
【００１２】
さらなる他の態様においては、本願発明は、本体と、バルブ組立体と、雄結合部材と、外側バルブ部材と、シース部と、バルブ部材と、を備えてなる医療用分配装置を提供する。ここで、前記本体は、本体内部にチャンバーを有し、液体材料を含んでいる。前記バルブ組立体は、チャンバーと流通しており、医療用付属品上で雌結合部材と係合し、医療用分配装置と医療用付属品との間に流体継手部を形成するための雄結合部材を有している。前記雄結合部材は、突起部及び該突起部と関連して移動可能とされる前記外側バルブ部材を含んでいる。前記突起部及び前記外側バルブ部材は、互いに離隔しており、前記突起部と前記外側バルブ部材との間に流体継手部を形成している。前記シース部は、前記突起部を囲み、前記突起部から離隔され、通路を形成して、前記雌結合部材を受容している。前記バルブ部材は、前記雌結合部材が前記雄結合部材と接続されている場合には、前記雌結合部材と係合可能とされ、前記突起部と関連して移動可能とされ、流体チャネルを開いている。
【００１３】
一実施例においては、バルブ部材は、雄結合部の外面を形成している。
【００１４】
一実施例においては、流体チャネル近傍の突起部と共にバルブ部材を係合位置に向かって付勢するために、付勢手段が提供される。特に、この場合においては、通路は内壁で終わり、付勢手段は、内壁とバルブ部材との間に設けられたバネを含んでいる。
【００１５】
一実施例においては、突起部は本体に固定され、内部通路を含んでいる。内部通路は、チャンバーに開口している一端及び流体チャネルに開口している他端を含んでいる。突起部はまた、拡開端部を含んでいる。バルブ部材は、拡開端部と係合し、流体チャネルを閉じるように配置された外部を含んでいる。この場合においては、バルブ部材上の拡開端部及び外端部は、結合傾斜面を有している。
【００１６】
一実施例においては、雌結合部材は導入部を有している。そして、バルブ部材は、導入部に嵌合する大きさとされている。
【００１７】
医療用分配装置は、注射器、ＩＶボトル、ＩＶライン、粉剤、及び／又は噴霧流体、及び／又はガス吸入剤分配装置、インプラント送出分配装置、人工呼吸器、注射ポンプ、挿管チューブ、消化液供給チューブ又は複数の及び／又は一のそれらの組み合わせのようなアイテムを含んでいることが好ましい。
【００１８】
医療用材料は、個体、液体又は気体状若しくはそれらの組み合わせであり、生活を向上させ、健康を促進し、病気、異常又は疾患を治療及び／又は手当し、体の機能を管理及び／又は示すような有益な特性を、又はそれらの組み合わせを有していることが望ましい。例えば、その他の中でも、医療用材料は、ＩＶ治療法、組織移植、幹細胞治療法、腫瘍治療法、血液交換、及び／又は臓器移植のために有効である。
【発明を実施するための最良の形態】
【００１９】
図面、特に図１によると、注射器組立体１０が示されている。該組立体は、注射器１２及びバルブユニット１４を備えている。注射器１２は、チャンバー２０を有している。該チャンバーは、プランジャー２２を収容し、空洞部２４を形成している。図２によると、空洞部は出口２６を有し、バルブユニット１４は、空洞部２４を医療用付属品（例えば、針）と結合するために（図３及び４を参照のこと）、出口２６の下流に設けられている。前述の通り、バルブユニット１４は出口３２及び流れ制御手段を有し、出口を通じて流体の流れを制御する。前記流れ制御手段は、結合部が操作可能なように医療用付属品と接続されている場合に、出口を開く操作が可能とされる。さらに、前記流れ制御手段は、バルブユニットが医療用付属品との接続が解除され、再度医療用付属品と接続されるまで閉じたままである場合には、出口を閉じる操作が可能とされる。
【００２０】
この場合においては、チャンバー２０は、出口２６に隣接する第１の雄ルーアー端部３４を含んでなる。そして、バルブユニット１４は、第１の雌ルーアー端部３６を含み、該端部は、雄ルーアー端部３４と係合可能とされる。バルブユニット１４はまた、医療用付属品３０と結合するために、第２の雄ルーアー端部３８を含んでなる。
【００２１】
この場合では、チャンバー２０及びバルブユニット１４は互いに離隔しているが、例えば、第１の雄ルーアー端部３４を雌ルーアー端部３６と結合することによって、それらが一体的に形成されることが代替的に可能とされることに留意すべきである。
【００２２】
バルブユニット１４は、雌ルーアー端部３６と雄ルーアー端部３８との間に液体を移動するためのチャネル４２を有している。バルブ手段は、バルブ部材４４の形態でバルブユニット１４内に設けられ、チャネルが閉じられた第１の位置（図２に示す）と、チャネルが開いた第２の位置（図３に示す）との間を移動可能とされる。作動手段は、作動部材４６（図２に示す）の形態をしているが、バルブ部材４４から外方へ延伸し、雄ルーアー端部３８に至る。医療用付属品３０の雌ルーアー端部が雄ルーアー端部３８に結合される場合には、作動部材４６は、バルブ部材４４と結合し前記部材を作動させる。
【００２３】
図１〜４の実施例においては、雄ルーアー端部３８は、ネジ部を有する外側シース部５０を有している。該シース部は、内側の突起部５２から離隔されている。この場合においては、作動部材４６は、ネジ部を有する外側シース部５０と内側の突起部５２との間に設けられている。バルブ部材４４はバルブプラグ部５４を含んでいる。該プラグ部はバルブシート部５６と相対的に移動可能とされる。バルブ部材４４は、雌ルーアー端部３６と一体的に形成された上端部を有している。外部ハウジング部材５８は、バルブ部材４４上に滑動可能なように設けられている。この場合においては、外部ハウジング部材５８は、雄ルーアー端部３８に接続されている。バルブ部材４４はまた、バルブチャネル４４ａを有しており、該チャネルは雌ルーアー端部３６から延伸し、バルブプラグ部５４に至っている。該部プラグ部は、１つ以上の横断流のための開口部４４ｂに至り、チャネル４２と接続している。
【００２４】
バルブ部材４４は、アンカーフランジ６０及び雄ルーアー端部３８を含んでいる。前記バルブが前記閉位置（図２に示す）にある場合には、該端部は、直接的又は間接的に、アンカーフランジ６０に対向している。逆に、前記バルブが開位置（図３に示す）にある場合には、雄ルーアー端部３８は前記アンカーフランジから離隔されている。
【００２５】
外部ハウジング部材５８は、半径方向内側に向けられた端部領域６２に至っている。圧縮バネ６４の形態をした付勢手段が、端部領域６２とアンカーフランジ６０との間で、且つ外部ハウジング内に設けられており、前記バルブユニットを閉じるために前記バルブ部材を第１の位置に向かって付勢する。
【００２６】
図５は、代替的な装置を示す。この場合においては、バルブユニット７０は、雌ルーアー端部７４と一体的に形成されているハウジング７２を有している。第１のチャネル部７６は雌ルーアー端部７４に隣接し、第２のチャネル部７８は雄ルーアー端部８０に隣接している。この場合においては、バルブ手段は、バルブ部材８２を含んでいる。該バルブ部材は、第１のチャネル部７６及び第２のチャネル部７８と流通しているバルブチャネル８４を有している。この場合においては、前記バルブシート部は、第２のチャネル部７８内の参照符号９０が付された箇所に形成されている。
【００２７】
バルブ部材８２は、プラグ部９２を含んでいる。該プラグ部は、第２のチャネル部７８内で該チャネル部と関連して移動可能とされ、シート部９０を係合し、第２のチャネル部７８を閉じる。第１のチャネル部７６は、雌ルーアー端部７４から延伸している管状の突起部９４を含んでいる。この場合においては、バルブ部材８２のバルブチャネル８４は、第１のチャネル部７６及び第２のチャネル部７８と共存している。この場合においては、管状の突起部９４は、バルブチャネル８４内でバルブ部材８２と滑動可能なように係合し、シール材９８により密閉されている。同様に、バルブ部材８４は、シール材１００により第２のチャネル部７８内で密閉されている。
【００２８】
注射器組立体１０は、以下のように利用される。第１に、バルブユニット１４を注射器１２に接続して、対応する第１の雄ルーアー端部３４を雌ルーアー端部３６と係合する。この状態で、第２の雄ルーアー端部３８を医療用付属品（例えば、針３０）と共に取り付けて、図２に示すように、アクチュエーター４６を第２の雄ルーアー端部３８の内部に向かって完全に伸ばす。その結果として、バルブ部材４４が、その閉位置に向かって付勢されることにより、バルブシート５６に抗してバルブプラグ部５４と係合する。
【００２９】
従って、針３０上の雌ルーアー端部を第２の雄ルーアー端部３８と係合することによって、針３０が注射器に取り付けられる。そうすることにより、針３０上の雌ルーアー端部が作動部材４６と接触し変位され、バルブ部材４４が上方に（図２に示されるように）変位するので、バルブシート５６と共に密閉された接触部からバルブプラグ部５４を開放して、バルブチャネルが開かれる。従って、プランジャー２２が外方へ変位されて、バルブシート５６からチャネル４２を通過して横断流のための開口部４４ｂ、バルブチャネル４４ａ、雌ルーアー端部、及び空洞部２４に至る通路によって、針３０の略尖頭端内の液体が空洞部２４に引き込まれる。そのとき、作動部材４６が下方に(図２に示すように)変位されるために、針３０は取り除かれ得る。前記変位により、バルブプラグ部の直後変位箇所がシート５６と接触するので、前記バルブは閉じられる。
【００３０】
図６〜１２において、もう１つの装置を符号１２０で示す。該装置は、その内部に内部チャンバー１２４を形成する本体１２２を有し、液体材料を含んでいる。バルブ組立体１２６は、チャンバー１２４と流通しており、雄結合部材１２８を有しているので、雌結合部材１３０を医療用付属品（この場合においては、針１３２）の上で結合して、装置１２０と針１３２との間で流体継手部を形成する。
【００３１】
バルブ組立体１２６は、雄結合部材１２８を通じて流れ制御操作が可能とされている。より詳しくは、前記バルブ組立体は、雄結合部材１２８が操作可能なように雌結合部材１３０と結合されている場合には、開位置にあるように操作可能とされる。逆に、前記バルブ組立体は、雄結合部材１２８が雌結合部材１３０と接続解除されている場合には、閉位置にあるように操作可能とされる。
【００３２】
この場合においては、本体１２２及びバルブ組立体１２６は、図８に示すように、一体的に形成されている。該バルブ組立体は、バルブ部材１３４及びバルブシート１３６を含んでなる。バルブ部材１３４は、バルブシート１３６と反対の位置に示されている。図示のみを目的とした僅少な隙間が雄結合部材１２８と前記バルブシートとの間に存在しなければ、前記バルブシートは前記雄結合部材と近接している。
【００３３】
雄結合部材１２８は、内部流体チャネル１４０ａを有する内側雄部１４０と、内側雄部１４０から離間された外側シース部１４２とを含んでおり、前記内側雄部と外側シース部との間に通路１４４を形成し、雌結合部材１３０を受容する。少なくとも１つの（この場合においては、３つの）バルブ作動部１４６（２つは図７に示す）が、通路１４４内に位置決めされて、雌結合部材１３０が通路１４４に沿って移動する間に、雌結合部材１３０と接触しバルブ部材を変位させる。この場合においては、各バルブ作動部１４６は、バルブ部材１３４と共に一体的に形成されている。
【００３４】
各バルブ作動部１４６は、一組の接触要素１５０，１５２を含んでいる。該一組の接触要素は、通路１４４に沿って離隔され、雌結合部材１３０を前記一組の接触部材の間に受容し、通路１４４に沿って雌結合部材と共に移動される。前述の理由のため、接触要素１５２は傾斜外面１５２ａを有している。各作動部１４６は、通路１４４と関連して長手方向に向いている。そして、接触要素１５０，１５２は、作動部１４６に沿って位置決めされている。
【００３５】
各バルブ作動部１４６はロックフランジ１５４を含んでいる。そして、バルブ組立体はロックシート１５６を含み、バルブ部材１３４が閉位置にある場合には、ロックフランジ１５４を受容する。この場合には、作動部１４６は遠位端領域を有し、ロックフランジ１５４が前記遠位端領域に設けられている一方で、ロックシート１５６が外側シース部１４２内に形成されている。
【００３６】
図１０においては、ロックフランジ１５４をロックシート１５６の外側に変位させるために、各作動部１４６が屈曲するように配列されている点に留意すべきである。
【００３７】
図８によると、バルブ部材１３４はバックプレート１６０を含み、作動部１４６はバックプレート１６０上に等間隔に離隔されている。バックプレート１６０は、チャンバー１２４と流通している中央流体チャネル１６２を有している。そして、バルブ部材１３４は該部材内に流体チャネル１６３を有し、該チャネルは中央流体チャネル１６２と、さらにはチャンバー１２４と流通している。加えて、流体チャネル１６３は、側部１６３ａを有している。該側部は、内側雄部内で流体チャネル１６３と内部流体チャネル１４０ａとの間を流通している。
【００３８】
従って、装置１２０は、以下のように利用される。バルブ組立体は、閉位置でバルブ部材と共に固定され、図８に示すように、バルブ部材１３４と共にバルブシート１３６と反対位置にある。針１３２上の雌結合部材１３０は、通路１４４と一直線に並んでおり、雄結合部材１２８へ導く。接触部材１５２上の案内傾斜面１５２ａは、雌結合部材を通路１４４の開口部の中心に位置決めすることを目的とする。ロックシート１５６内のロックフランジ１５４と共に、雌結合部材１３０は、接触要素１５２の最低端部を通過し、図９に示すように、雌結合部材が接触要素１５０と接触するまで通路１４４を進むことが可能である。図１０に示すように、雌結合部材に作用する連続した内力は、接触要素１５０に伝達して、接触部１４６が前記通路に沿って内方に移動する。従って、ロックシート１５６の前記ロック位置からロックフランジ１５４を引き出すために、ロックフランジ１５４がロックシート１５６から離脱するまで、接触部１４６が屈曲する。この位置で、バルブ部材１３４がバルブシート１３６から移動して、流体チャネル１６３を針１３２に向いていることに留意すべきである。
【００３９】
図１１によると、雌結合部材１３０は、通路１４４から取り外されて、接触要素１５２と接触し、接触部１４６が通路１４４に沿って外方に移動するので、バルブ部材１３４は、バルブシート１３６に向かって移動する。ロックフランジ１５４は、ロックシート１５６に接近し、最終的には挿通されて、バルブ組立体のクロージャーと一致する。
【００４０】
従って、装置１２０は、バルブ部材を利用しない。該バルブ部材は、雄結合部材１２８から取り外された場合には、前出の実施例と同様に閉位置に向かって付勢されるが、むしろ雌結合部材１３０の変位に依存して、閉位置に向かってバルブ組立体を引き出す。
【００４１】
図１３〜１５においては、他の装置を符号１７０で示す。該装置は、本体１７２及びチャンバー１７４を該装置内に有し、液体材料を含んでいる。バルブ組立体１７６は、チャンバー１７４と流通しており、雄結合部材１７８を有し、再度、針１８１上で雌結合部材１８０と係合し、医療用分配装置１７０と針１８１との間に流体継手部を形成している。
【００４２】
バルブ組立体１７６は、雄結合部材を通じて流れ制御操作が可能とされる。より詳しくは、前記バルブ組立体は、操作可能なように雌結合部材１８０と接続された場合に、前記雄結合部材１７８を作動又は開放する操作が可能とされ、逆に、雌結合部材１８０との結合が解除された場合には、雌結合部材１７８を閉鎖する操作が可能とされる。
【００４３】
この場合においては、雄結合部材１７８は、本体１７２に固定されている突起部１８２を含んでなる。シース部１８４は、突起部１８２を取り囲んでおり、本体１７２にも固定されている。シース部１８４は、突起部１８２から離隔されて、通路１８６を形成し雌結合部材１８０を受容する。
【００４４】
バルブ部材１９０は、突起部１８２と相対的に移動可能とされて、前記バルブ部材と前記突起部との間に流体チャネル１９２を形成し、内部シール材１９３により密閉される。突起部１８２は、内部通路１９４を含んでいる。該通路は、チャンバー１７４に開口している一端１９４ａ及び流体チャネル１９２に開口している他端１９４ｂを有している。
【００４５】
図１４及び１５によると、前記突起部は拡開端部１９８を含み、バルブ部材１９０は外部２００を有している。該外部は、拡開端部１９８と係合して流体チャネル１９２を閉じるように配置されている。この場合においては、通路１８６は内壁２０２で終わり、バルブ部材１９０は、バネ２０３の動作の影響を受けて、内壁２０２と関連して移動可能とされる。該バネは、バルブ部材１９０と内壁２０２の間の通路１８６内に位置決めされ、バルブ部材１９０の外端部２００を拡開端部１９８との係合位置に向かって付勢している。
【００４６】
図１５を参照すると、バルブ部材１９０上の拡開端部１９８及び外端部２００は、結合傾斜面１９８ａ，２００ａをそれぞれ有している。
【００４７】
バルブ部材１９０は、雄結合部材１８０と係合し、通路１８６に沿って雌結合部材１８０と共に移動する操作が可能とされている。この場合においては、雌結合部材１８０は、導入部１８０ａを有し、バルブ部材１９０の外端部２００は導入部材１８０ａ内に嵌合する大きさとされている。
【００４８】
図６の装置１２０と比較すると、装置１７０はバルブ部材１９０を有しており、閉位置に向かって付勢されている。雌結合部材１８０が突起部１８２上を通過するので、雌結合部材１８０の導入部１８０ａは、バルブ要素１９０の外端部２００上に重なる。従って、通路内部１８６に向かった雌結合部材１８０の連続した内部変位により、バルブ部材は、突起部１８２と関連して移動可能とされる。結合傾斜面１９８ａ，２００ａは分離して、針に向かって流体チャネル１９２を開口する。従って、流体継手部は、雌結合部材及び雄結合部材が堅く係合されている場合には、完全に操作可能とされる。雌結合部材１８０が雄結合部材１７８から取り外された場合には、バルブ部材１９０は、バネ２０３の付勢動作の影響を受けて、突起部１９８と反対側にある閉位置に戻されて、雄結合部材を閉じる。
【００４９】
本願は、好ましい実施例であると現在考えられる構成について説明している一方で、本願発明はそのように限定される訳ではない。逆に、本願発明は、その技術的思想及び特許請求の範囲の範囲内に含められる様々な改良及び変更された構成をも意図するものである。特許請求の範囲は、最も広く解釈されるべきであり、すべての改良及び変更された構造及び機能を包含するものである。
【００５０】
バルブユニットは、他の医療用液体送出装置と共に使用することができる。例えば、ＩＶライン（IV line）、カテーテル、薬物注入ポンプ及びそれに類するものである。バルブユニットはまた、遍在的なルーアー結合装置を利用しない注射器及びに他の医療用装置で利用することが可能である。
【００５１】
本願発明の幾つかの好ましい実施例が、図面を参照して、例のみのために説明されている。
【図面の簡単な説明】
【００５２】
【図１】注射器組立体の斜視図である。
【図２】図１の注射器組立体の部分断面図である。
【図３】二者択一的な操作位置における図１の注射器組立体の断面図である。
【図４】二者択一的な操作位置における図１の注射器組立体の断面図である。
【図５】他の注射器組立体の一部についての部分断面斜視図である。
【図６】他の注射器組立体の部分斜視図である。
【図７】他の注射器組立体の部分斜視図である。
【図８】図６の注射器組立体の部分断面図である。
【図９】図６の注射器組立体の部分断面図である。
【図１０】図６の注射器組立体の部分断面図である。
【図１１】図６の注射器組立体の部分断面図である。
【図１２】図６の注射器組立体の部分断面図である。
【図１３】さらなる他の注射器組立体の部分斜視図である。
【図１４】図１３の注射器組立体の一部についての部分断面図である。
【図１５】図１３の注射器組立体の一部についての部分断面図である。
【符号の説明】
【００５３】
１０  注射器組立体
１２  注射器
１４  バルブユニット
２０  チャンバー
２２  プランジャー
２４  空洞部
【図１】
2007516785.tif 000003
【図２】
2007516785.tif 000004
【図３】
2007516785.tif 000005
【図４】
2007516785.tif 000006
【図５】
2007516785.tif 000007
【図６】
2007516785.tif 000008
【図７】
2007516785.tif 000009
【図８】
2007516785.tif 000010
【図９】
2007516785.tif 000011
【図１０】
2007516785.tif 000012
【図１１】
2007516785.tif 000013
【図１２】
2007516785.tif 000014
【図１３】
2007516785.tif 000015
【図１４】
2007516785.tif 000016
【図１５】
2007516785.tif 000017
【国際調査報告】
2007516785.tif 000018
2007516785.tif 000019
2007516785.tif 000020
2007516785.tif 000021
2007516785.tif 000022